(57)【要約】      （修正有）【課題】従来の磁気マグネットは痛みを伴う箇所に直接肌に何個も貼り付けていたために、見苦しく、違和感があった。またアレルギー体質の人が長時間使用すると、粘着シートで蒸れて湿疹、かゆみ、皮膚のかぶれ等が現れ、苦痛を伴いながら使用していた状況であった。【解決手段】本発明では、磁気シートに裏表間を貫通する通気穴を開け、必要に応じてあけた通気穴に磁気マグネットを組み込む、組み込んだために磁気マグネットの効力が最大になる。その磁気の効力を保った状態を、直接肌に触れないように、高吸水性ポリマースポンジまたは、高吸水性布等でコンパクトに包み、身につける衣装の襟の内側の首に一周とりまくようにして使用することで、まわりから見ても、目立たなくファッション的な感覚で使用できるようにしたものである。また通気性がよく皮膚に障害を起こさない粘着シート、粘着テープ等で痛みを伴うところに貼り付けられるようにした。【選択図】  図１
2006223322.tif 000002
【特許請求の範囲】
【請求項１】
磁気シートの磁気面に、裏表間を貫通する多数の通気穴を開け、開けた穴の磁気面に必要に応じて磁気マグネットが取り付けられる、首磁気バンド。
【請求項２】
平板状の部材に裏表間を貫通する多数の通気穴を設け、開けた部位に、必要に応じて磁気マグネットが取り付けられる首磁気バンド。
【請求項３】
首磁気バンドを首の回りに当て使用する時は、直接皮膚に触れぬよう、スカーフ、マフラー、付け襟、首を取り巻く、衣料品等、または高吸水性ポリマースポンジ等に、首磁気バンドを包み首につけることができる首磁気バンド。
【請求項４】
首を取り巻く衣料品等に、首の部位に磁気バンドを収納するポケットを作り首磁気バンドを簡単に収納したり、取り外しが出来るように軽量化し、コンパクトにした首磁気バンド。
【請求項５】
通気性が良く、皮膚への障害がない、粘着シート、粘着テープ等を使い、痛みを伴なう所に、必要な長さに合わせて、体に貼り付けることができる首磁気バンド。
【発明の詳細な説明】
【技術分野】
【０００１】
本発明は、偏頭痛、更年期障害、頭痛、肩こり、４０肩、５０肩、むち打ち症、冷え性、ストレスによる疲れ、腰のコリ、血行不良、ひじ、ひざのコリ、首筋背中の慢性的なコリ、不眠症などを、持ち合わせた症状の人が症状が和らぐまで保護する首磁気マグネットである。
【背景技術】
【０００２】
従来は症状が有るところに、長時間直接肌に磁気マグネットを貼ていたため、ばんそうこの跡形や、かぶれ、湿疹、かゆみを発症させ、苦痛を伴いながら、磁気マグネットを使用していた。
【発明の開示】
【発明が解決しようとする課題】
【０００３】
本発明はこの様な従来の磁気マグネットが有していた課題を解決しようとする物であり、磁気マグネットの通気性を高めると共に磁気マグネットを長時間使用した為にできる皮膚へのあとかた、皮膚が赤くはれ上がる皮膚のかぶれ、かゆみ湿疹の表れ、を無くすことを目的としたものと、１個の磁気マグネットの持つ磁気の強さを、強める為、磁気シートの磁気面に磁気マグネットを組み込み、磁気マグネットの効力を更に高めることを目的としたもの。手軽にファッション感覚で、首または痛みを伴う部分の体に違和感無く装着できることを目的としたものである。
【課題を解決するための手段】
【０００４】
本発明は上記目的を達成するために、磁気シート又は平板状の部材に裏表間を貫通する多数の通気穴を設け、通気性を確保し、痛みで磁気マグネットを必要とする部位に必要に応じて裏表間を貫通した、穴に磁気マグネットを組み込み、磁気マグネットが持つ効力を最大限に引き出すようにした。また使用する環境に合わせて、高吸水性ポリマースポンジ、放熱材、高吸水性布、布等で磁気バンドを包みコンパクトにして、ファッション的な感覚で首につけるようにした。また身につける衣料品の首の部位にポケットを作り磁気バンドを収納、取り外しが簡単にできるようコンパクトに軽量化した。また皮膚への障害がない、通気性のよい粘着シート、粘着テープに組み込み、症状がある所に貼り付けて、使用することもできる。  
【０００５】
また第２の課題解決手段は磁気マグネットの効力を最大限に保ちながら、磁気マグネットの粘着シートがアレルギー体質の人へあたえる、皮膚への悪い影響を抑える為に、粘着シートが直接皮膚に触れないように、通気ように開けた、磁気シートの裏表間の穴の厚みを利用して、皮膚と粘着シートの間に空間を保つようにした。
【発明の効果】
【０００６】
上述したように本発明の首磁気バンドは磁気シートと磁気マグネットを組み合わせることにより首の周りに最良の磁気を発生させることができるため、痛みのある部位に直接磁気マグネットを貼らなくてもこの首磁気バンドを首に装着することで、体全体の血液の循環がスムーズになることにより、体調がよくなり、それぞれの痛みを柔らげることができる。
【０００７】
また多数の通気穴を開けているため、通気を確保することもできるし、裏表間に開けた、通気穴に必要に応じて磁気マグネットを組み込むことができる。また直接皮膚に貼らずにすむため、粘着シートがアレルギー体質の人へ及ぼす、皮膚障害がなくなり、快適に首磁気バンドをファッション的に違和感なく装着することができる。
【０００８】
また磁気シートに裏表間を貫通する通気穴を開け、開けた部位に磁気マグネットをはめ込むことにより磁気シートの表と裏間の厚みの空間があるため通気性が保たれることにより、皮膚にあたえる、かぶれ、かゆみ、湿疹、貼り後が残る心配がなくなった。
【０００９】
首磁気バンドは薄くて軽く、コンパクトであるため首に付けたときの違和感がなくファッション的な感覚で磁気バンドをはめることができる。また使用する環境の変化に応じて高吸水性ポリマースポンジ、高吸水性布等で包み、簡単に首に装着することができる。痛みに応じて磁気バンドを緩めたり、締め付けたり調節ができるようになり、貼り付けたり、取り外したりの不便さがなくなった。
【００１０】
首を取り巻く衣料品の首の部位にファスナー、ぼたん、面ファスナー等いずれかを使い簡単に取り付け、取り外しが出来るよう首磁気バンドを収納するポケットを、首に当たる部位につくり、首磁気バンドを首に当たるように装着することで、違和感なく快適に痛みを和らげることができるようになった。
【発明を実施するための最良の形態】
【００１１】
以下本発明の形態を図１〜図３に基づいて説明する。
【００１２】
図において、１は磁気シートまたは平板状の部材に裏表間を貫通する多数の通気穴を開け、必要な部分に磁気マグネットを通気穴に組み込んだものを、高吸水性ポリマースポンジまたは高吸水性布等で包んだものに必要に応じて強弱が調節できるように調節部材を取り付けた首磁気バンドである。
【００１３】
２は磁気シートまたは平板状の部材に裏表間を貫通させる通気穴を開け、貫通させた穴に  必要に応じて磁気マグネットを裏から表へ貫通させ取り付けた図１を伸ばした１部を真上から見た正面図である。
【００１４】
３は本発明品をコンパクトに作り襟の中にはめている為、目だつことなくまた違和感なく、ファッション感覚で首に装着した使用状態である。
【００１５】
上述の１．２．３・で構成する首磁気バンドは図１に示す形状にして、身につけた衣類の襟の内側で首の部位を１週とりまくようにして、装着し、偏頭痛、頭痛、更年期障害、肩こり、４０肩、５０肩、むち打ち症、冷え性、ストレスによる疲れ、腰のコリ、血行不良、ひじ、ひざのコリ、首筋背中の慢性的なコリ、不眠症などを持ち合わせた人の体全体の血液の循環が、スムーズになり痛みが和らぐようにした物である。
【図面の簡単な説明】
【００１６】
【図１】は首磁気バンドの斜視図
【図２】は斜視図の磁気バンドを伸ばした状態の正面図
【図３】は首磁気バンドを装着した状態である。
【符号の説明】
【００１７】
１    磁気シート、平板状部材
２    裏表間を貫通した通気穴
３    磁気マグネット
４    粘着シート
５    磁気バンド調節部材
６    磁気バンドを包んだ、高吸水性ポリマースポンジまたは高吸水性布
【図１】
2006223322.tif 000003
【図２】
2006223322.tif 000004
【図３】
2006223322.tif 000005